(57)【特許請求の範囲】
【請求項１】
シャワーヘッドを掛止孔に掛止させて保持するフック部と、該フック部を保持する本体部とを有するシャワーフックにおいて、
前記フック部を前記本体部と別体となして該本体部により回転可能に保持するとともに、該フック部と該本体部とにまたがって、該フック部の回転方向の角度を位置決めし且つ保持する角度保持機構を設け、
該角度保持機構は、前記フック部と前記本体部に備えたストッパ部との何れか一方に設けた位置決凹部と、他方に設けた位置決凸部と、それら位置決凹部と位置決凸部とを凹凸嵌合させる方向に付勢する付勢手段とを有し、該付勢手段による付勢力の下で該位置決凹部と位置決凸部とを凹凸嵌合させることにより、該フック部の回転方向の角度を位置決めして保持するものとなしてあり、
且つ前記フック部及びストッパ部の少なくとも一方の側には、前記位置決凹部と位置決凸部との凹凸嵌合時に、該位置決凸部が該位置決凹部に入り込んだ後該位置決凹部と該位置決凸部とが付き当る直前に衝撃吸収して打音を緩和する弾性材から成る緩衝材が設けてあることを特徴とするシャワーフック。
【請求項２】
請求項１において、前記角度保持機構は、前記フック部の回転方向に沿って、該フック部又は前記ストッパ部の一方に間隔を隔てて設けた複数の位置決凹部又は位置決凸部を有していて、該フック部を複数の角度に位置決めして保持する角度調節機能を有するものとなしてあることを特徴とするシャワーフック。
【請求項３】
請求項１，２の何れかにおいて、前記緩衝材が前記フック部の側に設けてあることを特徴とするシャワーフック。
【請求項４】
請求項１〜３の何れかにおいて、前記位置決凹部及び位置決凸部が、前記フック部の回転方向と交差方向に長手状をなす位置決溝及び位置決突条となしてあり、それら位置決溝及び位置決突条の長手方向の中央部の位置に前記緩衝材が設けてあることを特徴とするシャワーフック。
【請求項５】
請求項４において、前記緩衝材が前記位置決溝の底部に、溝の壁高さより低い突出高さで溝底から突出する状態に設けてあることを特徴とするシャワーフック。
【発明の詳細な説明】
【技術分野】
【０００１】
この発明は、シャワーへッドを掛止孔において着脱可能に保持するシャワーフックに関し、詳しくは位置決凹部と位置決凸部との凹凸嵌合により、シャワーヘッドの保持角度を位置決めする機能を備えたものに関する。
【背景技術】
【０００２】
浴室等の水栓装置に広く用いられているシャワーフック、詳しくはシャワーヘッドを掛止孔に掛止させて保持するフック部と、フック部を保持する本体部とを有するシャワーフックには従来から様々なものが知られている。
図７はその具体例を示している。
【０００３】
この例は、スライドバーに沿って位置移動可能とされたシャワーフックの例で、図中２００は壁等に上下方向に設けられたスライドバー、２０２はシャワーフックであり、その内部にはこれをスライドバー２００に対し上下方向の所定位置に固定するロック解除が可能なロック機構が設けられている。
シャワーフック２０２は嵌合孔２０４を備えており、その嵌合孔２０４においてスライドバー２００にスライド移動可能に嵌合している。
【０００４】
２１０はシャワーフック２０２の本体部で、この本体部２１０に、掛止孔２０６を備えたフック部２０８が一体に構成されている。
シャワーフック２０２は、この掛止孔２０６にシャワーヘッドを掛止させ、これを着脱可能に保持するようになっている。
本体部２１０の、フック部２０８とは反対側の端部には回転式のハンドル２１２が設けられている。
【０００５】
このシャワーフック２０２では、ハンドル２１２を一方向に回転操作すると、内部のロック機構が働いてシャワーフック２０２がスライドバー２００に固定される。
またハンドル２１２を逆方向に回転操作すると、ロック機構によるロックが解除されて、シャワーフック２０２がスライドバー２００に沿って上下にスライド移動可能となる。
【０００６】
ところでこのシャワーフック２０２では、掛止孔２０６にシャワーヘッドを掛止して保持させたときの、シャワーヘッドの保持角度が一定で、保持角度を変えることができない問題がある。
シャワーヘッドの保持角度を変更し、調節できるようにするための手段として、フック部２０８を本体部２１０と別体となして、これを本体部により回転可能に保持させるようになすとともに、フック部の回転方向の角度を位置決めし且つ保持する角度保持機構を設けておくことが考えられる。
【０００７】
図８はそのようなシャワーフックとして、本発明者らが案出したものを比較例として示したものである。
この比較例のものは、掛止孔２１３を有するフック部２１４を本体部２１６と別体となして、これを本体部２１６により回転可能に保持するようになし、そしてフック部２１４の円弧面上に且つフック部２１４の回転方向に沿って、フック部２１４の回転方向と交差する直角方向に長手状をなす位置決溝２１８を、間隔をおいて複数設け、また本体部２１６の側にはストッパ部２２０を図中左右方向に移動可能に設けて、これをコイルばね（付勢手段）２２２にて図中右向き、即ちフック部２１４に向けて付勢するようになしたものである。
【０００８】
ここでストッパ部２２０には、複数の位置決溝２１８の何れかに嵌合する、位置決溝２１８と同方向に長手状をなす位置決突条（位置決凸部）２２４が設けてあり、その位置決突条２２４が、複数の位置決溝２１８の何れかに、コイルばね２２２の付勢力の下で凹凸嵌合することで、フック部２１４が回転方向の所定角度に位置決めされ且つ保持される。
【０００９】
この例において、角度保持機構は、フック部２１４に設けた位置決溝２１８と、ストッパ部２２０に設けた位置決突条２２４と、位置決溝２１８に対して位置決突条２２４を嵌合させる方向に付勢するコイルばね２２２とを含んで構成してある。
そして角度保持機構は、位置決溝２１８が複数設けてあることによって、フック部２１４を複数の角度に位置決めし且つ保持する機能、即ちフック部２１４の角度調節機能を有している。
【００１０】
この例のシャワーフックの場合、フック部２１４を回転させると、何れかの位置決溝２１８に嵌り込んでいたストッパ部２２０側の位置決突条２２４が、位置決溝２１８と２１８との間に形成されている山部（溝の壁部）を乗り越えて、隣接した位置決溝２１８に嵌り込み、フック部２１４を、その嵌り込んだ位置決溝２１８に対応した角度に位置決めして保持する。
【００１１】
ところでシャワーヘッドをフック部２１４の掛止孔２１３に勢い良く引っ掛けた場合や、掛止孔２１３にシャワーヘッドを掛止した状態で、急に水栓の流量が増加したような場合、上記の位置決溝２１８と位置決突条２２４との凹凸嵌合に基づく保持力が弱いと、フック部２１４が位置決めした角度から回転して角度が変化してしまう問題を生ずる。
【００１２】
従ってそうした場合でもフック部２１４が位置決めした角度から回転方向に位置ずれしてしまわないように、コイルばね２２２の付勢力を強くして、位置決突条２２４を位置決溝２１８に強い付勢力で嵌り込ませ、凹凸嵌合の力を強く設定しておくことが必要となる。
【００１３】
ところが一方でこのようにすると、フック部２１４を回転操作して保持位置を変化させ角度調整をするに際して、位置決突条２２４が新たな位置決溝２１８に嵌り込んだときに、衝撃によって大きな打音が発生してしまい、これが耳障りな不快な音となってしまう問題を生ずる。
【００１４】
この打音は、位置決突条２２４が位置決溝２１８に嵌り込んだときのクリック音となって、使用者の手に伝わる（触感による）クリック感とともに、フック部２１４が位置決めされたことを知らせるものであり、使用者に対して使い良さを感じさせるものであるが、その打音が大き過ぎると、これが却って耳障りな音となって使用者に不快感を感じさせてしまう。
またこの打音は、使用者に対して不快感を与え易い高音域の音を含んだものであり、音質自体も使用者に対し不快感を与える要素となっている。
【００１５】
尚、フック部を回転方向に角度調節可能となし、そしてこれを所定角度に位置保持するようになしたシャワーフックが下記特許文献１に開示されている。
但しこの特許文献１には本発明の解決課題も、課題解決のための本発明の特徴的な構成についても開示されていない。
【００１６】
【特許文献１】特開２００５−９００９９号公報
【発明の開示】
【発明が解決しようとする課題】
【００１７】
本発明は以上のような事情を背景とし、シャワーヘッドを保持するフック部を回転方向の所定角度に位置決めして保持することができ、且つその際に耳障りな大き打音を発生する問題を生じることのないシャワーフックを提供することを目的としてなされたものである。
【課題を解決するための手段】
【００１８】
而して請求項１のものは、シャワーヘッドを掛止孔に掛止させて保持するフック部と、該フック部を保持する本体部とを有するシャワーフックにおいて、前記フック部を前記本体部と別体となして該本体部により回転可能に保持するとともに、該フック部と該本体部とにまたがって、該フック部の回転方向の角度を位置決めし且つ保持する角度保持機構を設け、該角度保持機構は、前記フック部と前記本体部に備えたストッパ部との何れか一方に設けた位置決凹部と、他方に設けた位置決凸部と、それら位置決凹部と位置決凸部とを凹凸嵌合させる方向に付勢する付勢手段とを有し、該付勢手段による付勢力の下で該位置決凹部と位置決凸部とを凹凸嵌合させることにより、該フック部の回転方向の角度を位置決めして保持するものとなしてあり、且つ前記フック部及びストッパ部の少なくとも一方の側には、前記位置決凹部と位置決凸部との凹凸嵌合時に、該位置決凸部が該位置決凹部に入り込んだ後該位置決凹部と該位置決凸部とが付き当る直前に衝撃吸収して打音を緩和する弾性材から成る緩衝材が設けてあることを特徴とする。
【００１９】
請求項２のものは、請求項１において、前記角度保持機構は、前記フック部の回転方向に沿って、該フック部又は前記ストッパ部の一方に間隔を隔てて設けた複数の位置決凹部又は位置決凸部を有していて、該フック部を複数の角度に位置決めして保持する角度調節機能を有するものとなしてあることを特徴とする。
【００２０】
請求項３のものは、請求項１，２の何れかにおいて、前記緩衝材が前記フック部の側に設けてあることを特徴とする。
【００２１】
請求項４のものは、請求項１〜３の何れかにおいて、前記位置決凹部及び位置決凸部が、前記フック部の回転方向と交差方向に長手状をなす位置決溝及び位置決突条となしてあり、それら位置決溝及び位置決突条の長手方向の中央部の位置に前記緩衝材が設けてあることを特徴とする。
【００２２】
請求項５のものは、請求項４において、前記緩衝材が前記位置決溝の底部に、溝の壁高さより低い突出高さで溝底から突出する状態に設けてあることを特徴とする。
【発明の作用・効果】
【００２３】
以上のように本発明は、フック部の回転方向の角度を位置決めし且つ保持する角度保持機構を設けるとともに、その角度保持機構を、フック部と本体部に備えたストッパ部との一方に設けた位置決凹部と、他方に設けた位置決凸部と、それらを嵌合させる方向に付勢する付勢手段とを有し、その付勢力の下で位置決凹部と位置決凸部とを凹凸嵌合させるものとなし、そしてフック部及びストッパ部の少なくとも一方の側に、位置決凹部と位置決凸部との凹凸嵌合時の衝撃を吸収して打音を緩和する弾性材から成る緩衝材を設けたものである。
【００２４】
かかる本発明によれば、付勢手段の付勢力の下に位置決凹部と位置決凸部とが弾性的に凹凸嵌合するときの衝撃が緩衝材にて良好に吸収され、従ってその際に発生する打音が効果的に低減せしめられる。
これにより、フック部を所定の角度に位置決めする際に大きく耳障りな不快な打音を生ぜしめてしまう問題を解決することができ、使用者は快適にシャワーフックないしシャワー装置を使用することが可能となる。
また緩衝材の衝撃吸収作用により、打音に含まれる高音域の音を低減でき、音質自体も不快感を生じない良好な打音（クリック音）となすことができる。
【００２５】
加えて緩衝材による緩衝作用により、図８に示すシャワーフックにおいて生じていたばらつきの問題、詳しくは各部材の寸法のばらつきや、組付時のばらつきに起因して位置決めの際の音量や音質にばらつきが生じる問題も良好に緩和することが可能となる。
この場合において、上記緩衝材はゴム等の弾性材のシートにて形成しておくことができる。
【００２６】
本発明は、単一の位置決凹部と位置決凸部とによって、フック部を１個所だけに角度保持する角度保持機構となしておくことも可能であるが、請求項２に従って角度保持機構を、フック部の回転方向に沿って設けた複数の位置決凹部又は位置決凸部を有するものとなし、フック部を複数の角度に位置決めして保持する角度調節機能を有するものとなしておくことができる。
【００２７】
次に請求項３は、本体部に対して別体をなすフックの側に上記緩衝材を設けたもので、このようにすることにより、位置決凹部と位置決凸部とが勢い良く嵌り合うときの衝撃的な打音をより効果的に低減することができる。
【００２８】
本発明では、位置決凹部及び位置決凸部を、フック部の回転方向と交差する方向に長手状をなす位置決溝及び位置決突条となしておき、それら位置決溝及び位置決突条の長手方向の中央部の位置に、上記の緩衝材を設けておくことができる（請求項４）。
【００２９】
このようにすれば、緩衝材にて位置決めの際の大きな打音を低減できるとともに、緩衝材を設けた部分以外においては、位置決溝と位置決突条とにより、回転方向の所定角度位置に位置決めしたフック部を強い力でその位置決めした角度に保持することができ、シャワーヘッドをフック部に引っ掛けたときの勢いや、急激な水量の変化等によってフック部の角度が位置決めした角度からずれてしまう不具合を有効に防止することができる。
【００３０】
この場合においてその緩衝材は、位置決溝の底部に且つ溝の壁高さより低い突出高さで溝底から突出する状態に設けておくことができる（請求項５）。
【発明を実施するための最良の形態】
【００３１】
次に本発明の実施形態を図面に基づいて詳しく説明する。
この例はスライドバーに沿って移動可能なシャワーフックに本発明を適用した場合の例で、図１中１０は上下方向に長く延びるスライドバーであり、その上端部と下端部とが、背面に配置された上下の一対の取付部材１２，１４にて壁等に取り付けられるようになっている。
この実施形態において、スライドバー１０は横断面形状が左右に長い、即ち左右に幅広の矩形状をなしている。
そして上下一対の取付部材１２，１４はスライドバー１０に対する正面視において、かかるスライドバー１０の裏側に完全に隠れる状態で設けられている。
【００３２】
１６はシャワーフックで、１８はその本体部である。
本体部１８は基端側に嵌合孔２０を備えており、その嵌合孔２０においてスライドバー１０に上下にスライド移動可能に嵌合されている。
シャワーフック１６は、先端部にフック部２２を有している。
フック部２２は、掛止孔２４にシャワーヘッドを掛止させて、これを着脱可能に保持する。
【００３３】
本体部１８の内部には、シャワーフック１６をスライドバー１０に対し上下方向に固定しロックするロック機構とロック解除機構とが設けられており、そしてその下面にはロック解除操作を行うための、押ボタン式のロック解除操作部２６が下向きに突出する状態で設けられている。
【００３４】
フック部２２は本体部１８とは別体をなしており、本体部１８にて図２中時計方向及び反時計方向に回転可能に保持されている。
図５に示しているように、フック部２２は図中左右の端部に円筒部２８を有しており、その円筒部２８の内部の嵌込孔３０に、本体部１８から突き出した軸部が嵌り込み、かかる軸部にてフック部２２が回転可能に保持されている。
このフック部２２の左右の側端面３２は、そのフック部２２の回転方向に平行な面とされている。
【００３５】
一方本体部１８に対してスライドバー１０側に対向する側の面は、フック部２２の回転方向に円弧状をなす円弧面とされており、その円弧面上に且つフック部２２の回転方向に沿って、フック部２２の回転方向と直角方向の左右方向に長手状をなす位置決溝（位置決凹部）３６が、所定間隔ごとに複数設けられている。
フック部２２は、図１，図３及び図５に示しているようにこの円弧面とは反対側は開口３４とされている。
尚、上記円弧面はフック部２２の回転方向のみならず、左右方向においても本体部１８側に凸となる円弧面をなしている。
【００３６】
一方、図２及び図４に示しているように本体部１８の側には収容凹所４０が形成されていて、そこにストッパ部３８が図中左右方向に移動可能に収容されている。
そしてこのストッパ部３８に対して、コイルばね４２の付勢力が図中右向きに、即ちストッパ部３８をフック部２２の側に突き出す向きに及ぼされている。
図５に示しているように、このストッパ部３８には図中上下の中央部に一筋の位置決突条（位置決凸部）４４が設けられている。
ここでストッパ部３８の図中右側即ちフック部２２側に対向する面は、フック部２２の円弧面に対応した円弧面とされており、また位置決突条４４が、位置決溝３６に対応した円弧形状とされている。
この位置決突条４４は、フック部２２の位置決溝３６の何れかに嵌り込むことによって、フック部２２の回転方向の位置の移動を規制する。
【００３７】
この実施形態では、上記のようにストッパ部３８の位置決突条４４が、フック部２２の複数の位置決溝３６の何れかに嵌り込み、かかる位置決突条４４と位置決溝３６とが凹凸嵌合することによって、フック部２２が回転方向の所定角度に位置決めされ且つ保持される。
【００３８】
そしてその状態からフック部２２を回転させると、コイルばね４２の圧縮弾性変形及びストッパ部３８の図２中左方向への後退移動を伴って、位置決突条４４が嵌り込んでいた位置決溝３６から抜け出し、そして図６に示しているように位置決溝３６と３６との間の山部即ち位置決溝３６の壁４６を乗り越えた上で、コイルばね４２の付勢力によって、隣接した位置決溝３６の内部に勢い良く嵌り込み、フック部２２をその新たに嵌り込んだ位置決溝３６の位置に対応した角度に位置決めし且つ保持する。
【００３９】
この実施形態では、ストッパ部３８に設けられた位置決突条４４と、フック部２２の側に設けられた位置決溝３６とを含んで角度保持機構が構成されており、そしてその角度保持機構は、複数の位置決溝３６を有することによって、フック部２２を複数の角度に位置決めして保持する角度調節機能を有している。
【００４０】
本実施形態では、図５に示しているようにフック部２２の円弧面に沿って回転方向に、且つ複数の位置決溝３６の中央部を通過するようにして組付凹所４８が形成されており、そこに縦方向に長手状をなすゴム製のシート状の緩衝材５０が嵌込状態に組み付けられている。
ここで緩衝材５０はフック部２２における回転方向の円弧面に対応した円弧形状をなしており、その裏面側には一対の突出部５２が一体に形成されていて、これら突出部５２が、組付凹所４８側に形成された凹形状の嵌込部５４に嵌め込まれている。
図４に示しているようにこの緩衝材５０は、複数の位置決溝３６のそれぞれの底部に、それら位置決溝３６と３６との間の山部即ち位置決溝３６の壁４６を越えない突出高さで、各位置決溝３６の溝底から突出する状態に設けられている。
【００４１】
本実施形態では、フック部２２を回転させてこれを所望の角度に位置決めして保持する際即ち角度調節する際、図６（Ｉ）に示すように位置決溝３６の壁４６を乗り越えたストッパ部３８の位置決突条４４が、図６（II）に示すように次の位置決溝４６内に勢い良く嵌り込むとき、先ず位置決突条４４の先端（位置決突条４４は断面山形状をなしている）が位置決溝３６の溝底に付き当る直前に、溝底から突出したゴム製の緩衝材５０に当ってそこで衝撃緩和される。
従ってこの実施形態では、位置決突条４４が位置決溝３６に嵌り込んでフック部２２を所定角度に位置決めする際の打音が効果的に低減される。
【００４２】
以上のように本実施形態によれば、位置決溝３６と位置決突条４４とが弾性的に凹凸嵌合するときの衝撃が緩衝材５０にて良好に吸収され、その際に発生する打音が効果的に低減せしめられる。
これにより、フック部２２を所定の角度に位置決めする際に大きく耳障りな不快な打音を生ぜしめてしまう問題を解決することができ、使用者は快適にシャワーフック１６ないしシャワー装置を使用することが可能となる。
また緩衝材５０の衝撃吸収作用により、打音に含まれる高音域の音を低減でき、音質自体も不快感を生じない良好な打音（クリック音）となすことができる。
【００４３】
加えて緩衝材５０による緩衝作用により、図８で示すシャワーフックにおいて生じていたばらつきの問題、詳しくは各部材の寸法のばらつきや、組付時のばらつきに起因して位置決めの際の音量や音質にばらつきが生じる問題も良好に緩和することが可能となる。
【００４４】
また本実施形態では、本体部１８に対して別体をなすフック部２２の側に緩衝材５０を設けてあることにより、位置決溝３６と位置決突条４４とが勢い良く嵌り合うときの衝撃的な打音をより効果的に低減することができる。
【００４５】
更に本実施形態によれば、位置決溝３６の長手方向の中央部の位置に緩衝材５０を部分的に設けているにすぎないため、緩衝材５０にて位置決めの際の大きな打音を低減できるとともに、緩衝材５０を設けた部分以外においては、位置決溝３６と位置決突条４４とにより、フック部２２を強い力で位置決めした角度に保持することができ、シャワーヘッドをフック部２２に引っ掛けたときの勢いや、急激な水量の変化等によってフック部２２の角度が位置決めした角度から外れてしまう不具合を有効に防止することができる。
【００４６】
以上本発明の実施形態を詳述したがこれはあくまで一例示である。
例えば上記実施形態ではフック部の側に複数の位置決溝を設ける一方、本体部の側に一条の位置決突条を設けているが、場合によってストッパ部の側に複数の位置決溝を、またフック部の側に一条の位置決突条を設けて、それらを凹凸嵌合させるようになすことも可能であり、その際に緩衝材をストッパ部の側に設けるといったことも可能である。
【００４７】
或いはまたストッパ部３８の側に一条の位置決溝を設け、そしてフック部２２の側に複数の位置決突条を設けて、それらを凹凸嵌合させるようにすることも可能であり、更には場合によって緩衝材をフック部の側とストッパ部の側との両方とに設けるといったことも可能である。
また上記実施形態はシャワーフックがスライドバーに沿って移動可能な場合の例であるが、本発明は固定状態に設けられるシャワーフックに対して適用することも可能であるなど、本発明はその趣旨を逸脱しない範囲において種々変更を加えた形態で構成可能である。
【図面の簡単な説明】
【００４８】
【図１】本発明の一実施形態であるシャワーフックをスライドバーへの取付状態で示す全体図である。
【図２】同実施形態のシャワーフックを一部切り欠いて示す側面図である。
【図３】図２の要部の平面図である。
【図４】同実施形態の要部を拡大して示す断面図である。
【図５】同実施形態のフック部をストッパ部とともに示す斜視図である。
【図６】同実施形態の作用説明図である。
【図７】従来のシャワーフックの一例を示す図である。
【図８】比較例としてのシャワーフックを示す比較例図である。
【符号の説明】
【００４９】
１６  シャワーフック
１８  本体部
２２  フック部
２４  掛止孔
３６  位置決溝（位置決凹部）
３８  ストッパ部
４２  コイルばね（付勢手段）
４４  位置決突条（位置決凸部）
５０  緩衝材
【図１】
0005229781.tif 000002
【図２】
0005229781.tif 000003
【図３】
0005229781.tif 000004
【図４】
0005229781.tif 000005
【図５】
0005229781.tif 000006
【図６】
0005229781.tif 000007
【図７】
0005229781.tif 000008
【図８】
0005229781.tif 000009